(57)【要約】      （修正有）【課題】ウイルスなどの殺菌に適切な湿度での使用が可能であるばかりか、低温火傷やかぶれなどを防止することができるウイルス退治マスクを提供する。【解決手段】ウイルス退治マスクは、マスク本体２と、マスク本体に設けられた湿熱カイロ発熱体５の収容部６と、マスク本体の温度を検出する温度センサー８とを備える。【選択図】図１
0003231544.tif 000002
【実用新案登録請求の範囲】
【請求項１】
マスク本体と、
この前記マスク本体に設けられた湿熱カイロ発熱体の収容部と、
前記マスク本体の温度を検出する温度センサーと、
を備えたことを特徴とするウイルス退治マスク。
【請求項２】
前記収容部は、前記マスク本体の裏面側に設けたことを特徴とする請求項１に記載のウイルス退治マスク。
【請求項３】
前記温度センサーは、温度の表示部を有していることを特徴とする請求項１または２に記載のウイルス退治マスク。
【請求項４】
前記表示部は、４２°Ｃ〜４４°Ｃを表示することを特徴とする請求項１〜３のいずれかに記載のウイルス退治マスク。
【請求項５】
前記表示部は、４２°Ｃ〜４３°Ｃで第１の表示を行い、４４°Ｃで前記第１の表示とは異なる第２の表示を行うことを特徴とする請求項１〜４のいずれかに記載のウイルス退治マスク。
【請求項６】
前記表示部は、温度を色で表示することを特徴とする請求項１〜５のいずれかに記載のウイルス退治マスク。
【請求項７】
前記温度センサーは、前記収容部の外面に設けたことを特徴とする請求項１〜６のいずれかに記載のウイルス退治マスク。
【請求項８】
前記温度センサーは、前記収容部の内部に設けたことを特徴とする請求項１〜６のいずれかに記載のウイルス退治マスク。
【請求項９】
前記収容部は、前記温度センサーが目視可能な開口を有していることを特徴とする請求項８に記載のウイルス退治マスク。
【請求項１０】
前記収容部は、前記表示部が透けて目視可能な素材で構成したことを特徴とする請求項８に記載のウイルス退治マスク。
【請求項１１】
前記収容部は、前記マスク本体の内部に設けたことを特徴とする請求項１に記載のウイルス退治マスク。
【請求項１２】
前記収容部は、袋状にして前記マスク本体に対して着脱できる構成としたことを特徴とする請求項１に記載のウイルス退治マスク。
【請求項１３】
前記収容部は、発熱体の熱を制御する緩衝部材を設けたことを特徴とする請求項１に記載のウイルス退治マスク。
【考案の詳細な説明】
【技術分野】
【０００１】
本考案は、湿熱機能を有するウイルス退治マスクに関する。
【背景技術】
【０００２】
この種のマスクとしては、発熱体を内蔵して温熱機能を持たせ、風邪などの予防効果を高めるように構成したものが知られている。
【０００３】
特許文献１には、マスク本体に袋を設け、この袋に使い捨てカイロを収容し、温熱を維持するようにした構成が開示されている。
【０００４】
特許文献２には、マスクのポケットにカイロを入れて、マスクを４２°Ｃ以上に加温し風邪ウイルスを殺すようにした構成が開示されている。
【０００５】
特許文献３には、マスクの袋に発熱体を収容するとともに、マスクを装着したときに顔面に到達する水蒸気が５０°Ｃ以下となるように温度緩衝材または空隙を設けた構成が開示されている。
【先行技術文献】
【特許文献】
【０００６】
【特許文献１】実開平３−９７１８号
【特許文献２】特開２０００−２８８１０６号
【特許文献３】特開２０００−４２１２５号
【考案の開示】
【考案が解決しようとする課題】
【０００７】
しかしながら、いずれも、カイロなどの発熱体によりマスクを加温するだけでマスクの温度を認識することができず、ウイルスなどの退治（殺菌）に適切な温度での使用が困難であるばかりか、低温火傷やかぶれなどを生じる虞がある。
【０００８】
本考案は、上記事情に基づいてなされたもので、その目的とするところは、ウイルスなどの退治に適切な湿度での使用が可能であるばかりか、低温火傷やかぶれなどを防止することができるマスクを提供することにある。
【課題を解決するための手段】
【０００９】
上記課題を解決するために、本考案は、マスク本体と、この前記マスク本体に設けられた湿熱カイロ発熱体の収容部と、マスク本体の温度を検出する温度センサーとを備えたことを特徴とするものである。
【００１０】
収容部は、前記マスク本体の裏面側に設けるのが好ましい。
【００１１】
また、温度センサーは、温度の表示部を有していることが好ましい。
【００１２】
さらに、表示部は、４２°Ｃ〜４４°Ｃを表示することが好ましい。
【００１３】
さらに、表示部は、４２°Ｃ〜４３°Ｃで第１の表示を行い、４４°Ｃで前記第１の表示とは異なる第２の表示を行うことが好ましい。
【００１４】
さらに、表示部は、温度を色で表示することが好ましい。
【００１５】
さらに、温度センサーは、収容部の外面に設けるのが好ましい。
【００１６】
さらに、温度センサーは、収容部の内部に設けてもよい。
【００１７】
さらに、収容部は、温度センサーが目視可能な開口を有していることが好ましい。
【００１８】
さらに、収容部は、表示部が透けて目視可能な素材で構成してもよい。
【００１９】
さらに、収容部は、前記マスク本体の内部に設けてもよい。
【００２０】
さらに、収容部は、袋状にして前記マスク本体に対して着脱できる構成としてもよい。
【００２１】
さらに、収容部は、発熱体の熱を制御する緩衝部材を設けてもよい。
【考案の効果】
【００２２】
本考案によれば、ウイルスの退治に適切な湿度での使用が可能であるばかりか、低温火傷やかぶれなどを防止することができる。
【図面の簡単な説明】
【００２３】
図面は、本開示に係る本考案の特定の実施の形態を示し、考案の不可欠な構成ばかりでなく、選択的及び好ましい実施の形態を含む。
【図１】本考案に係るマスクの第１実施形態を示すもので、（ａ）は裏面図、（ｂ）は断面図。
【図２】同実施形態の装着状態を示す正面図。
【図３】同実施形態の装着状態を示す側面図。
【図４】本考案に係るマスクの第２実施形態を示すもので、（ａ）は裏面図、（ｂ）は断面図。
【図５】本考案に係るマスクの第３実施形態を示す断面図。
【考案を実施するための形態】
【００２４】
以下、図面を参照しながら本考案の実施形態について説明する。
【００２５】
＜第１実施形態＞
図１は、本考案の第１実施例に係るマスク１を示している。
【００２６】
図１に示すように、マスク１は、マスク本体２を備えている。
【００２７】
このマスク本体２の左右両側には装着用のゴム紐３，３が取り付けられている。
【００２８】
また、このマスク本体２は、素材４が多層になっている。なお、マスク本体２の形状や材質については、特に制限がない。
【００２９】
このマスク本体２の裏面側（顔面側）には使い捨て湿熱カイロ（湿熱カイロ発熱体）５の収容部６が設けられている。
【００３０】
この収容部６は、上部に開口７が設けられ、この開口７からカイロ５の出し入れができるようになっている。
【００３１】
さらに、この収容部６の裏面側には、温度センサー８が設けられ、カイロ５により加熱されたマスク本体２の裏面側の温度を検出するようになっている。
【００３２】
また、この温度センサー８は、裏面側に温度表示からなる表示部９が設けられ、４２°Ｃ〜４３°Ｃで黄色（第１の表示）１０、４４°Ｃでオレンジ色（第２の表示）１１を表示するようになっている。
【００３３】
このように構成されたマスク１は、図２および図３に示すように、紐３，３を耳１２，１２に掛けることにより顔面１３に装着され、カイロ５により加熱された熱気が呼吸に伴って体内に導入されることになる。
【００３４】
以上の構成によれば、目視により表示部９の色を時々確認しながら、４２°Ｃでマスクを装着し、４３°Ｃで５分〜１０分保持することにより、体内の深部に進入していないコロナウイルスや風邪ウイルス等ほとんど全てのウイルスの退治が行える。すなわち、体内において、ウイルスの退治に適切な湿度での使用が可能である。しかも、４４°Ｃになったらマスク１を外すことで、低温火傷やかぶれ等を防止することができる。
【００３５】
＜第２実施形態＞
図４は、本考案の第２実施形態に係るマスク２１を示している。
【００３６】
図４に示すように、マスク２１は、収容部６内に温度センサー８が設けられている。
【００３７】
すなわち、温度センサー８は、収容部６内の裏面側とカイロ５との間に位置するように配置されている。
【００３８】
また、収容部６の温度センサー８に対応する位置には開口２２が設けられ、この開口２２から温度センサー８の表示部９が目視できるようになっている。
【００３９】
このような構成によれば、カイロ５の温度を直接検出することができる。
【００４０】
＜第３実施形態＞
図５は、本考案の第３実施形態に係るマスク３１を示している。
【００４１】
図５に示すように、温度センサー８は、第２実施形態と同様収容部６内に設けられている。
【００４２】
また、本実施形態では、収容部６がたとえば薄手の素材で構成され、温度センサー８の表示部９が透視できるようになっている。
【００４３】
このような構成によれば、温度センサー８の表示部９に直接吐息がかからず、汚れを防止することができる。
【００４４】
なお、収容部６は、上記第１〜３の実施形態では、マスク本体２の裏面側に設けたが、マスク本体２の素材４，４間に設けても良い。
【００４５】
また、収容部６は、袋状にしてマスク本体２に対して着脱できるようにしても良い。
【００４６】
さらに、収容部６には、カイロ５の裏面側に布などの温度緩衝部材を設けても良い。
【符号の説明】
【００４７】
１    マスク
２    マスク本体
５    湿熱カイロ発熱体（湿熱カイロ）
６    収容部
８    温度センサー
９    表示部
１０    第１の表示（４２°Ｃ〜４３°Ｃ）
１１    第２の表示（４４°Ｃ）
２１    マスク
２２    開口
３１    マスク
【図１】
0003231544.tif 000003
【図２】
0003231544.tif 000004
【図３】
0003231544.tif 000005
【図４】
0003231544.tif 000006
【図５】
0003231544.tif 000007
【手続補正書】
【提出日】令和3年2月3日(2021.2.3)
【手続補正１】
【補正対象書類名】実用新案登録請求の範囲
【補正対象項目名】全文
【補正方法】変更
【補正の内容】
【実用新案登録請求の範囲】
【請求項１】
マスク本体と、
このマスク本体に設けられた湿熱カイロ発熱体の収容部と、
前記マスク本体の温度を検出する温度センサーと、
を備えたことを特徴とするウイルス退治マスク。
【請求項２】
前記収容部は、前記マスク本体の裏面側に設けたことを特徴とする請求項１に記載のウイルス退治マスク。
【請求項３】
前記温度センサーは、温度の表示部を有していることを特徴とする請求項１または２に記載のウイルス退治マスク。
【請求項４】
前記表示部は、４２°Ｃ〜４４°Ｃを表示することを特徴とする請求項３に記載のウイルス退治マスク。
【請求項５】
前記表示部は、４２°Ｃ〜４３°Ｃで第１の表示を行い、４４°Ｃで前記第１の表示とは異なる第２の表示を行うことを特徴とする請求項３または４に記載のウイルス退治マスク。
【請求項６】
前記表示部は、温度を色で表示することを特徴とする請求項３〜５のいずれかに記載のウイルス退治マスク。
【請求項７】
前記温度センサーは、前記収容部の外面に設けたことを特徴とする請求項１〜６のいずれかに記載のウイルス退治マスク。
【請求項８】
前記温度センサーは、前記収容部の内部に設けたことを特徴とする請求項１〜６のいずれかに記載のウイルス退治マスク。
【請求項９】
前記収容部は、前記温度センサーが目視可能な開口を有していることを特徴とする請求項８に記載のウイルス退治マスク。
【請求項１０】
前記収容部は、前記温度センサーが透けて目視可能な素材で構成したことを特徴とする請求項８に記載のウイルス退治マスク。
【請求項１１】
前記収容部は、前記マスク本体の内部に設けたことを特徴とする請求項１に記載のウイルス退治マスク。
【請求項１２】
前記収容部は、袋状にして前記マスク本体に対して着脱できる構成としたことを特徴とする請求項１に記載のウイルス退治マスク。
【請求項１３】
前記収容部は、発熱体の熱を制御する緩衝部材を設けたことを特徴とする請求項１に記載のウイルス退治マスク。
【手続補正２】
【補正対象書類名】明細書
【補正対象項目名】００１８
【補正方法】変更
【補正の内容】
【００１８】
さらに、収容部は、温度センサーが透けて目視可能な素材で構成してもよい。
【手続補正３】
【補正対象書類名】明細書
【補正対象項目名】００４２
【補正方法】変更
【補正の内容】
【００４２】
また、本実施形態では、収容部６がたとえば薄手の素材で構成され、温度センサー８が透視できるようになっている。